(57)【要約】【課題】入力映像のピクセル別彩度レベルに応じてピクセルの輝度を増減させ、映像の画質を向上させる彩度適応的な映像向上装置およびその方法を提供する。【解決手段】本彩度適応的な映像向上装置は、入力色信号の彩度レベルを算出する彩度レベル算出部と、算出された彩度レベルを用いて、入力色信号の輝度変化に適用される輝度加重値および彩度に対する利得を計算する加重値および利得計算部と、入力色信号を所定のアルゴリズムに応じて輝度を調整し、調整された輝度および入力色信号の輝度を出力するイメージ調整部と、加重値および利得計算部で計算された加重値と利得のいずれか１つとイメージ調整部で出力された調整された輝度を用いて入力色信号の輝度を変化させる輝度適用部と、を含むことを特徴とする。従って、入力色信号の彩度レベルに応じて入力色信号の輝度を増減することによって、色帯域のマッピング時に輝度変化のし過ぎを防止することができる。【選択図】図４
2005353069.tif 000002
【特許請求の範囲】
【請求項１】
入力色信号の彩度レベルを算出する彩度レベル算出部と、
前記算出された彩度レベルを用いて、前記入力色信号の輝度変化に適用される輝度加重値および彩度に対する利得を計算する加重値および利得計算部と、
前記入力色信号を所定のアルゴリズムに応じて輝度を調整し、調整された輝度および前記入力色信号の輝度を出力するイメージ調整部と、
前記加重値および利得計算部で計算された加重値と利得のいずれか１つと前記イメージ調整部で出力された前記調整された輝度を用いて前記入力色信号の輝度を変化させる輝度適用部と、
を含むことを特徴とする彩度適応的な映像向上装置。
【請求項２】
前記彩度レベル算出部は、次式に基づいて彩度レベルを算出することを特徴とする請求項１に記載の彩度適応的な映像向上装置。
【数１】
2005353069.tif 000011
なお、Sは前記彩度レベル算出部で算出された彩度レベル、Min1=minimum(R、G、B)、Max1=maximum(R、G、B)、Min2=minimum((255-R)、(255-G)、(255-B))、Max2=maximum((255-R)、(255-G)、(255-B))である。
【請求項３】
前記加重値および利得計算部は、次式に基づいて加重値および利得を計算することを特徴とする請求項１に記載の彩度適応的な映像向上装置。
【数２】
2005353069.tif 000012
なお、Wは加重値、Sは前記彩度レベル算出部で算出された彩度レベル、th1は第１の閾値、th2は第２の閾値、gsatは彩度に対する利得である。
【請求項４】
前記輝度適用部は、次式のいずれか１つを用いて前記入力色信号の輝度を変化させて出力することを特徴とする請求項１に記載の彩度適応的な映像向上装置。
【数３】
2005353069.tif 000013
なお、YOは前記輝度適用部で出力される最終出力の輝度、Wは前記加重値および利得計算部で計算された加重値、Yenhは前記イメージ調整部で調整された輝度、Yは前記イメージ調整部で出力された前記入力色信号の輝度、gsatは前記加重値および利得計算部で計算された彩度に対する利得である。
【請求項５】
前記入力色信号の色空間を変換させ、前記色空間が変換された入力色信号を彩度レベル算出に出力する色空間変換部を更に含むことを特徴とする請求項１に記載の彩度適応的な映像向上装置。
【請求項６】
前記所定のアルゴリズムは、コントラスト調整アルゴリズム、ブラックホワイトストレッチアルゴリズムであることを特徴とする請求項１に記載の彩度適応的な映像向上装置。
【請求項７】
前記入力色信号は、該入力色信号の彩度レベルが計算される前に色空間が変換されることを特徴とする請求項１に記載の彩度適応的な映像向上装置。
【請求項８】
入力色信号の彩度レベルを算出するステップと、
前記彩度レベルを用いて、前記入力色信号の輝度変化に適用されるべく輝度加重値および彩度に対する利得を計算するステップと、
前記入力色信号を所定のアルゴリズムに応じて輝度を調整し、調整された輝度および前記入力色信号の輝度を出力するステップと、
前記輝度加重値および前記彩度に対する利得のいずれか１つと、前記調整された輝度とを用いて前記入力色信号の輝度を変化させるステップと、
を含むことを特徴とする彩度適応的な映像向上方法。
【請求項９】
前記彩度レベルの算出は、次式を用いることを特徴とする請求項８に記載の彩度適応的な映像向上方法。
【数４】
2005353069.tif 000014
なお、Sは算出された彩度レベル、Min1=minimum(R、G、B)、Max1=maximum(R、G、B)、Min2=minimum((255-R)、(255-G)、(255-B))、Max2=maximum((255-R)、(255-G)、(255-B))である。
【請求項１０】
前記輝度加重値および前記彩度に対する利得の計算は次式を用いることを特徴とする請求項８に記載の彩度適応的な映像向上方法。
【数５】
2005353069.tif 000015
なお、Wは加重値、Sは算出された彩度レベル、th1は第１の閾値、th2は第２の閾値、gsatは彩度に対する利得である。
【請求項１１】
前記彩度に対する利得は次式に基づいて計算されることを特徴とする請求項１０に記載の彩度適応的な映像向上方法。
【数６】
2005353069.tif 000016
なお、Sは算出された彩度レベル、th1は第１の閾値、th2は第２の閾値、gsatは彩度に対する利得である。
【請求項１２】
前記入力色信号は次式のいずれか１つを用いて輝度が変化されることを特徴とする請求項８に記載の彩度適応的な映像向上方法。
【数７】
2005353069.tif 000017
なお、YOは最終出力輝度、Wは前記輝度の加重値、Yenhは前記調整された輝度、Yは前記入力色信号の輝度、gsatは前記彩度に対する利得である。
【請求項１３】
前記入力色信号の色空間を変換させ、前記色空間が変換された入力色信号に対する彩度レベルを算出することを特徴とする請求項８に記載の彩度適応的な映像向上方法。
【請求項１４】
前記所定のアルゴリズムは、コントラスト調整アルゴリズム、ブラックホワイトストレッチアルゴリズムであることを特徴とする請求項８に記載の彩度適応的な映像向上方法。
【請求項１５】
算出された入力色信号の彩度レベルを用いて前記入力色信号の輝度変化に適用される輝度加重値および彩度に対する利得を計算する加重値および利得計算部と、
前記入力色信号を所定のアルゴリズムに応じて輝度を調整し、調整された輝度および前記入力色信号の輝度を出力するイメージ調整部と、
前記加重値および利得計算部で計算された加重値と利得のいずれか１つと、前記イメージ調整部で出力された前記調整された輝度を用いて前記入力色信号の輝度を変化させる輝度適用部と、
を含むことを特徴とする彩度適応的な映像向上装置。
【請求項１６】
入力色信号の彩度レベルを算出するステップと、
所定のアルゴリズムに応じて前記入力色信号の輝度を調整し、前記入力色信号の輝度および前記調整された輝度を出力するステップと、
算出された彩度レベルに応じて前記入力色信号の輝度を調整するステップと、
を含むことを特徴とする彩度適応的な映像向上方法。
【請求項１７】
前記算出された彩度レベルに基づいて、前記入力色信号の輝度を調整するステップは、前記算出された彩度レベルおよび前記計算された結果を用いて輝度加重値、彩度に対する利得、および調整された輝度、のいずれか１つを計算することを特徴とする請求項１６に記載の彩度適応的な映像向上方法。
【請求項１８】
入力色信号の彩度レベルを算出するステップと、
前記算出された彩度レベルを用いて、前記入力色信号の輝度変化に適用される輝度加重値および彩度に対する利得を計算するステップと、
所定のアルゴリズムに応じて前記入力色信号の輝度を調整し、前記調整された輝度および入力色信号の輝度を出力するステップと、
前記輝度加重値および前記彩度に対する利得を用いて前記入力色信号の輝度、および前記調整された輝度を調整するステップと、
を含むことを特徴とする彩度適応的な映像向上方法を提供する実行コードを含むコンピューター読取り可能な記録媒体。
【請求項１９】
前記彩度レベル算出は、次式を用いることを特徴とする請求項１８に記載の彩度適応的な映像向上方法を提供する実行コードを含むコンピューター読取り可能な記録媒体。
【数８】
2005353069.tif 000018
なお、Sは算出された彩度レベル、Min1=minimum(R、G、B)、Max1=maximum(R、G、B)、Min2=minimum((255-R)、(255-G)、(255-B))、Max2=maximum((255-R)、(255-G)、(255-B))である。
【請求項２０】
前記入力色信号は、次式のいずれかを用いて輝度が変化されることを特徴とする請求項１８に記載の彩度適応的な映像向上方法を提供する実行コードを含むコンピューター読取り可能な記録媒体。
【数９】
2005353069.tif 000019
なお、YOは最終出力の輝度、Wは前記輝度の加重値、Yenhは前記調整された輝度、Yは前記入力色信号の輝度、gsatは前記彩度に対する利得である。
【請求項２１】
前記輝度加重値および前記彩度に対する利得の計算は次式を用いることを特徴とする請求項１８に記載の彩度適応的な映像向上方法を提供する実行コードを含むコンピューター読取り可能な記録媒体。
【数１０】
2005353069.tif 000020
なお、Wは加重値、Sは前記彩度レベル算出部で算出された彩度レベル、th1は第１の閾値、th2は第２の閾値、gsatは彩度に対する利得である。
【請求項２２】
入力色信号の彩度レベルを算出するステップと、
所定のアルゴリズムに応じて前記入力色信号の輝度を調整し、前記調整された輝度および入力色信号の輝度を出力するステップと、
前記算出された彩度レベルに応じて前記入力色信号の輝度を調整するステップと、
を含むことを特徴とする彩度適応的な映像向上方法を提供する実行コードを含むコンピューター読取り可能な記録媒体。
【請求項２３】
前記算出された彩度レベルに基づいて、前記入力色信号の輝度を調整するステップは、前記算出された彩度レベルおよび算出された結果を用いて輝度加重値、彩度に対する利得、および調整された輝度、のいずれか１つを計算するステップを含むことを特徴とする請求項２２に記載の彩度適応的な映像向上方法を提供する実行コードを含むコンピューター読取り可能な記録媒体。
【発明の詳細な説明】
【技術分野】
【０００１】
本発明は、彩度適応的な映像向上装置およびその方法に関し、詳細には、入力映像のピクセル別に彩度レベルを算出し、算出された彩度レベルに応じてピクセルの輝度を増減させる彩度適応的な映像向上装置およびその方法に関する。
【背景技術】
【０００２】
韓国特許出願２００２−００１３５８２号には、映像向上のための色信号処理装置およびその方法が開示されている。ここで、予め計算された色帯域テーブルを用いて入力信号の彩度とその入力信号の色に対する最大彩度を色帯域テーブルから読み込んで、その両方の値の比により入力色信号の彩度値が決定される、といった内容が開示されている。
【０００３】
図１は、韓国特許出願番号２００２−００１３５８２号に開示された従来の映像向上のための色信号処理装置を示したブロック図である。
【０００４】
同図に示したように、従来の色帯域の処理装置は、算出部１０１、座標値格納部１０３、色帯域決定部１０５、および信号処理部１０７を含んでなる。
【０００５】
算出部１０１は、入力されたＲＧＢ色信号に応じる明度、彩度、色相を算出する。座標値格納部１０３は、所定のレベルで分類されたそれぞれの色に対して、明度および彩度からなる所定の座標値を格納する。
【０００６】
そして、色帯域決定部１０５は、入力された色信号を表示するディスプレーの色帯域を決定する。係る色帯域決定部１０５は、座標値格納部１０３から算出部１０１により算出された色に対応する座標値を引出し、引出された座標値および算出部１０１により算出された明度および彩度に基づいてディスプレーの表示可能な明度および彩度の範囲を決定する。そして、信号処理部１０７は色帯域決定部１０５により決められた色帯域内で入力された色信号をディジタル信号処理し、ディスたる信号処理された色信号をＲＧＢ色信号に変換してディスプレーに出力する。
【０００７】
ところが、従来の映像向上のための色信号処理装置およびその方法は、信号の輝度構成の際に色帯域の範囲外にあるかを判断し、調整される輝度が色帯域範囲の外に位置することを抑える。しかしながら、係る色信号処理装置は予め計算された色帯域テーブルを用いることによって、色帯域テーブルを格納するためのメモリが要される不具合がある。
【０００８】
さらに、ヒストグラムを用いる方法といった、従来の入力映像のコントラストを向上させるためのアルゴリズムは、入力映像の彩度に問わず、一律的に入力映像の輝度を調整することによって、色の再現時に色相が歪曲してしまう恐れがある。
【特許文献１】韓国特許出願２００２−００１３５８２号
【発明の開示】
【発明が解決しようとする課題】
【０００９】
本発明は前述した問題点を解決するために案出されたもので、本発明の目的は、入力映像のピクセル別彩度レベルを算出し、算出された彩度レベルに応じてピクセルの輝度を増減させ、映像の画質を向上させる彩度適応的な映像向上装置およびその方法を提供することにある。
【課題を解決するための手段】
【００１０】
前述の目的を達成するための本発明に係る彩度適応的な映像向上装置は、入力色信号の彩度レベルを算出する彩度レベル算出部と、前記算出された彩度レベルを用いて、前記入力色信号の輝度変化に適用される輝度加重値および彩度に対する利得を計算する加重値および利得計算部と、前記入力色信号を所定のアルゴリズムに応じて輝度を調整し、調整された輝度および前記入力色信号の輝度を出力するイメージ調整部と、前記加重値および利得計算部で計算された加重値と利得のいずれか１つと前記イメージ調整部で出力された前記調整された輝度を用いて前記入力色信号の輝度を変化させる輝度適用部と、を含むことを特徴とする。
【００１１】
一方、本発明の彩度適応的な映像向上方法は、入力色信号の彩度レベルを算出するステップと、前記彩度レベルを用いて、前記入力色信号の輝度変化に適用されるべく輝度加重値および彩度に対する利得を計算するステップと、前記入力色信号を所定のアルゴリズムに応じて輝度を調整し、調整された輝度および前記入力色信号の輝度を出力するステップと、前記輝度加重値および前記彩度に対する利得のいずれか１つと、前記調整された輝度とを用いて前記入力色信号の輝度を変化させるステップと、を含むことを特徴とする。
【００１２】
好ましくは、入力信号の彩度レベルの算出は次式による。
【００１３】
【数１】
2005353069.tif 000003
【００１４】
なお、Sは前記彩度レベル算出部で算出された彩度レベル、Min1=minimum(R、G、B)、Max1=maximum (R、G、B)、Min2=minimum((255-R)、(255-G)、(255-B))、Max2=maximum((255-R)、(255-G)、(255-B))である。
【００１５】
好ましくは、次式に基づいて加重値および利得を計算する。
【００１６】
【数２】
2005353069.tif 000004
【００１７】
なお、Wは加重値、Sは前記彩度レベル算出部で算出された彩度レベル、th1は第１の閾値、th2は第２の閾値、gsatは彩度に対する利得である。
【００１８】
好ましくは、前記輝度適用部は、次式のいずれか１つを用いて前記入力色信号の輝度を変化させて出力する。
【００１９】
【数３】
2005353069.tif 000005
【００２０】
なお、YOは前記輝度適用部で出力される最終出力の輝度、Wは前記加重値および利得計算部で計算された加重値、Yenhは前記イメージ調整部で調整された輝度、Yは前記イメージ調整部で出力された前記入力色信号の輝度、gsatは前記加重値および利得計算部で計算された彩度に対する利得である。
【００２１】
好ましくは、前記入力色信号の色空間を変換させ、前記色空間が変換された入力色信号を彩度レベル算出に出力する色空間変換部を更に含む。
【００２２】
なお、好適には前記所定のアルゴリズムは、コントラスト調整アルゴリズム、ブラックホワイトストレッチアルゴリズムである。
【００２３】
一方、本発明の彩度適応的な映像向上方法を提供する実行コードを含むコンピューターの読取り可能な記録媒体は、入力色信号の彩度レベルを算出するステップと、前記算出された彩度レベルを用いて、前記入力色信号の輝度変化に適用される輝度加重値および彩度に対する利得を計算するステップと、所定のアルゴリズムに応じて前記入力色信号の輝度を調整し、前記調整された輝度および入力色信号の輝度を出力するステップと、前記輝度加重値および前記彩度に対する利得を用いて前記入力色信号の輝度、および前記調整された輝度を調整するステップと、を含む。
【発明の効果】
【００２４】
本発明によると、入力色信号の彩度レベルに応じて入力色信号の輝度を増減することによって、色帯域をマッピングする際に輝度が変化しすぎることを防止する。すなわち、色帯域をマッピングする時、輝度変化のし過ぎにより色信号が色帯域から離れることを防止し、色信号が色帯域の範囲に存するとしてもソース装置の色信号が任意の色にマッピングされることを抑えることができる。
【００２５】
さらに、入力色信号の輝度を変化させることによってノイズが増加されることはあるものの、彩度レベルに応じて入力色信号の輝度を変化させることにより周辺ピクセルと異なる彩度レベルを有するノイズの増加を緩和させることができる。
【発明を実施するための最良の形態】
【００２６】
以下、添付の図面に基づいて本発明の好適な実施形態を詳述する。
【００２７】
図２は本発明の一実施の形態に係る彩度適応的な映像向上装置を示したブロック図である。
【００２８】
同図に示したように、本発明に係る彩度適応的な映像向上装置は、彩度レベル算出部２０１、加重値および利得計算部２０３、イメージ調整部２０５、輝度適用部２０７、および色帯域マッピング部２０９を含んでなる。
【００２９】
まず、彩度レベル算出部２０１は、入力色信号の彩度レベルを算出する。入力色信号は、ＲＧＢ、ＹＣｂＣｒなどである。必要に応じて、入力色信号を色空間変換を行ってから変換された入力色信号の彩度レベルを算出することができる。
【００３０】
加重値および利得計算部２０３は、彩度レベル算出部２０１で算出された彩度レベルに基づいて入力色信号に適用される輝度の加重値または彩度に対する利得を計算する。輝度の加重値および彩度に対する利得は、入力信号の輝度が調整される度合いを調整するために用いられる。輝度の加重値は、入力映像の輝度と調整された輝度とのソフトスイッチング（ｓｏｆｔ−ｓｗｉｔｃｈｉｎｇ）を行う場合に利用するため計算され、彩度に対する利得は入力映像の輝度に調整された輝度の変化量を適用するために計算される。
【００３１】
イメージ調整部２０５は入力映像の輝度に対する調整された輝度を出力する。イメージ調整は、入力信号の輝度を調節するコントラスト調整アルゴリズム、ブラックおよびホワイト領域の輝度を調節するブラックおよびホワイトストレッチアルゴリズムなどのような、従来の一般的なイメージ調整アルゴリズムを用いる。係るイメージ調整部２０５は、イメージ調整部２０５により調整された輝度と入力映像の輝度を出力する。
【００３２】
輝度適用部２０７は、イメージ調整部２０５から入力映像の輝度および調整された輝度を入力し、加重値および利得計算部２０３から入力された加重値または彩度利得を用いて最終出力の輝度を計算する。即ち、入力色信号の輝度増減の場合において、イメージ調整部２０５で調整された輝度を最終輝度として出力するのでなく、イメージ調整部２０５で調整した輝度を彩度レベルに応じて相違に適用し最終輝度を出力する。彩度の低い入力映像のピクセルであればイメージ調整部２０５で調整された輝度をそのまま適用して入力映像のピクセルの輝度値を増加または減少させる。一方、彩度の高い入力映像のピクセルであるほど入力色信号の輝度値に近接して出力される。
【００３３】
図３Ａは、図２の加重値および利得計算部２０３で計算された加重値を示したグラフである。
【００３４】
加重値および利得計算部２０３で計算された加重値は０と１との間値を有し、常数ｋに応じて加重値は、図３Ａに示したようなグラフになる。この時、常数ｋは０と２との間値である。常数ｋが０に近接するほど加重値は１に近接した値を有する。ｋが１である場合、加重値は図３Ａのような直線になり、ｋが２の場合には図３Ａのような２次関数のようになる。
【００３５】
図３Ｂは図２の加重値および利得計算部２０３で計算された利得を示すグラフである。
【００３６】
図３Ｂに示したように、第１の閾値ｔｈ１以下の領域は低彩度の領域であって、低彩度の領域では彩度に対する利得は１である。第１の閾値ｔｈ１以上で第２の閾値ｔｈ２以下である領域は中彩度領域であって、彩度値が第２の閾値に近接するほど彩度に対する利得は減少する。第２の閾値以上である領域は高彩度領域であって、彩度に対する利得は０である。即ち、高彩度領域における出力は入力と同一値を有する。
【００３７】
図４は本発明の一実施の形態に係る彩度適応的な映像向上方法を示したフローチャートである。
【００３８】
同図に示したように、まず、入力色信号の彩度レベルを彩度レベル算出部２０１で算出する（Ｓ４０１）。これは入力映像のピクセルの彩度レベルに応じて輝度の増減程度を異に適用するためである。
【００３９】
彩度レベル算出部２０１で彩度レベルを算出する方法につき、次式を用いて入力映像の該当ピクセルの彩度レベルを算出することができる。
【００４０】
【数４】
2005353069.tif 000006
【００４１】
なお、Sは彩度レベル算出部２０１で算出された彩度レベルであって、S1、S2のうち最大値、Min1はR,G,Bのうち最小値（Min＝minimum(R、G、B)）、Max1はR,G,Bのうち最大値（Max1＝maximum(R、G、B)）、Min2は(255-R)、(255-G)、(255-B)のうち最小値（Min2＝minimum((255-R)、(255-G)、(255-B))、Max2は(255-R)、(255-G)、(255-B)のうち最大値（Max2=maximum(255-R)、(255-G)、(255-B)）に該当する。［数４］は入力信号がR,G,B信号である場合に対する式であるが、入力信号がY,Cb,Crであるかその他の色信号である場合にも彩度レベルを算出することができる。または、入力色信号を色空間変換を行って、色空間が変換された入力色信号の彩度レベルを算出することもできる。
【００４２】
彩度レベル算出部２０１で算出された彩度レベルに応じて入力色信号の輝度の増減に適用すべき輝度の加重値または彩度に対する利得を計算する（Ｓ４０３）。加重値および利得計算部２０３で計算される輝度の加重値は入力映像の輝度と調整された輝度とのソフトスイッチングを行う場合に利用され、彩度に対する利得は入力映像の輝度に調整された輝度の変化量を適用するために計算される。このように加重値および利得計算部２０３で算出された輝度の加重値および彩度に対する利得は輝度適用部２０７に出力される。
【００４３】
まず、輝度の加重値計算は次式の数式による。
【００４４】
【数５】
2005353069.tif 000007
【００４５】
なお、Wは加重値、Sは彩度レベルであって０〜１との間値を有し、kは常数であって０〜２との間値を有する。輝度の加重値は常数ｋ値に応じて図３Ａに示したようなグラフになる。
【００４６】
彩度に対する利得は次式により計算される。
【００４７】
【数６】
2005353069.tif 000008
【００４８】
なお、Sは算出された彩度レベル算出部２０１で算出された彩度レベル、th1は第１の閾値、th2は第２の閾値、gsatは彩度に対する利得である。このとき、第１の閾値は入力映像の低彩度領域と中彩度領域とを区別する基準であり、第２の閾値は入力映像の中彩度領域と項彩度領域とを区別する基準である。
【００４９】
彩度に対する利得は第１および第２の閾値に応じて、図３Ｂに示したようなグラフになる。即ち、彩度が第１の閾値以下である低彩度領域で彩度に対する利得は１であり、彩度が第１の閾値より大きく第２の閾値より小さい領域である中彩度領域で彩度に対する利得は図３における勾配になる。そして、彩度が第２の閾値以上である高彩度領域で彩度に対する利得は０になる。
【００５０】
入力色信号の輝度は、イメージ調整部２０５で調整される（Ｓ４０５）。イメージ調整部２０５により調整された輝度および入力色信号の輝度を輝度適用部２０７に出力する。イメージ調整は、入力信号の輝度を増減させるコントラスト調整アルゴリズム、入力色信号のブラックおよびホワイト領域の輝度のみを調整するブラックおよびホワイトストレッチアルゴリズムなどのような従来における一般イメージ調整アルゴリズムを用いる。
【００５１】
そして、輝度適用部２０７はイメージ調整部２０５からの出力と加重値、および利得計算部２０３で計算された加重値または利得を用いて、入力色信号の輝度を入力色信号の彩度レベルに応じて増減させる（Ｓ４０７）。
【００５２】
加重値および利得計算部２０３で計算された加重値を用いて入力色信号の輝度を増減させる場合には次式を用いる。
【００５３】
【数７】
2005353069.tif 000009
【００５４】
なお、YOは最終出力輝度、Wは輝度加重値、Yenhはイメージ調整部２０５で調整された輝度、Yは入力色信号の輝度である。
【００５５】
加重値および利得計算部２０３で計算された彩度に対する利得を用いて入力色信号の輝度を増減させる場合には次式を用いる。
【００５６】
【数８】
2005353069.tif 000010
【００５７】
なお、YOは最終出力の輝度、Yは入力色信号の輝度、Yenhはイメージ調整部２０５で調整された輝度、gsatは彩度に対する利得である。
【００５８】
［数７］に基づいた彩度レベルによる入力色信号の輝度増減の場合には彩度レベル算出部２０１で算出された彩度レベルに応じて加重値および利得計算部２０３で計算された加重値を入力色信号の輝度に適用して輝度を増減させる。加重値が１に近いほど最終出力の輝度は入力色信号の輝度値に近接して出力される。加重値が１に近い場合、［数５］および図３Ａに示したように、彩度値が大きい場合であって、高彩度領域であるほど最終出力の輝度は入力色信号の輝度に近づけるよう出力される。
【００５９】
一方、加重値が０に近いほど［数７］からみると、最終出力の輝度はイメージ調整部２０５で調整された輝度がそおのまま適用される。加重値が０に近い場合は［数５］および図３Ａで示したように、彩度値が小さい場合であって、低彩度領域であるほど最終出力の輝度はイメージ調整部２０５でのイメージ調整アルゴリズムがそのまま適用される。即ち、輝度適用部２０７は、イメージ調整アルゴリズムが入力信号の輝度を増加させるアルゴリズムである場合には最終出力の輝度は入力色信号で増加された輝度値になる一方、イメージ調整アルゴリズムが入力信号の輝度を減少させるアルゴリズムである場合には最終出力の輝度は入力色信号で減少された値を出力する。
【００６０】
［数８］による彩度レベルに係る入力色信号の輝度増減の場合には、彩度レベル算出部２０１で算出された彩度レベルに応じて加重値および利得計算部２０３で計算された彩度に対する利得をイメージ調整部２０５で調整された輝度と入力色信号の輝度との差異（△Y）に適用して、入力色信号の輝度を増減させる。彩度に対する利得が０に近いほど最終出力の輝度は入力色信号の輝度値に近接して出力される。彩度に対する利得が０に近い場合は［数６］および図３Ｂを参照すれば、彩度値が第２の閾値以上である場合であって、高彩度領域であるほど最終出力の輝度は入力色信号の輝度に近接して出力される。
【００６１】
一方、彩度に対する利得が１に近いほど最終出力の輝度はイメージ調整部２０５で調整された輝度がそのまま適用される。彩度に対する利得が１に近い場合は、［数６］および図３Ｂに示したように、彩度値が第１の閾値より小さい場合であって、低彩度領域であるほど最終出力の輝度はイメージ調整部２０５におけるイメージ調整アルゴリズムがそのまま適用される。
【００６２】
即ち、［数７］および［数８］に示したように、輝度適用部２０７は、彩度の低い入力映像のピクセルであるほどイメージ調整部２０５で調整された輝度をそのまま適用し、入力映像のピクセルの輝度値を増加させたり減少させる。一方、彩度の高い入力映像のピクセルであるほど入力色信号の輝度値に近接して出力される。即ち、輝度適用部２０７は、イメージ調整アルゴリズムが入力信号の輝度を増加させるアルゴリズムである場合には最終出力輝度は入力色信号で増加された輝度値であり、イメージ調整アルゴリズムが入力信号の輝度を減少させるアルゴリズムである場合には最終出力の輝度は入力色信号で減少された輝度値を出力する。
【００６３】
以上、図面に基づいて本発明の好適な実施形態を図示および説明してきたが本発明の保護範囲は、前述の実施形態に限定するものではなく、特許請求の範囲に記載された発明とその均等物にまで及ぶものである。
【図面の簡単な説明】
【００６４】
【図１】従来の映像を向上させるための色信号の処理装置を示したブロック図である。
【図２】本発明の一実施形態に係る彩度適応的な映像向上装置を示したブロック図である。
【図３Ａ】図２の加重値および利得計算部で計算された加重値を示したグラフである。
【図３Ｂ】図２の加重値および利得計算部で計算された利得を示したグラフである。
【図４】本発明の一実施の形態に係る彩度適応的な映像向上方法を示したフローチャートである。
【符号の説明】
【００６５】
１０１      算出部
１０３      座標値格納部
１０５      色帯域決定部
１０７      信号処理部
２０１      彩度レベル算出部
２０３      加重値および利得計算部
２０５      イメージ調整部
２０７      輝度適用部
【図１】
2005353069.tif 000021
【図２】
2005353069.tif 000022
【図３Ａ】
2005353069.tif 000023
【図３Ｂ】
2005353069.tif 000024
【図４】
2005353069.tif 000025